(57)【要約】      （修正有）【課題】地震で異なる前後方向に左右の躯体が揺れ動いた場合に、端部床用目地プレート上に可動床用目地プレートをスムーズに乗り上がらせることができ、長期間安全に使用できる床用目地装置を提供する。【解決手段】一端部が側壁３と当接する端部床用目地プレート１０と、この端部床用目地プレート１０の他端部に該端部床用目地プレート１０と並列するように配置され、地震により左右の躯体が異なる前後方向に揺れ動いた場合に、一端部側が端部床用目地プレート１０上に乗り上がる底面に複数個のローラ１２が設けられた可動側床用目地プレート１３と、この可動側床用目地プレート１３の他端部側にヒンジ部材１４を介して接続された後端部が床用目地プレート支持部８に係止具を介して支持された床用目地プレート１６と、端部床用目地プレート１０を常時側壁方向へ付勢する付勢装置１１とで床用目地装置を構成している。【選択図】図１１
2014091991.tif 000002
【特許請求の範囲】
【請求項１】
目地部を介して設けられた側壁を有する左右の躯体の、一方の躯体の目地部側の床面に反目地部側が傾斜面に形成された床用目地プレートの先端部をスライド移動可能に支持する床用目地プレートスライド支持凹部と、この床用目地プレートスライド支持凹部と対向する前記他方の躯体の目地部側に、前記床用目地プレートの後端部を支持する床用目地プレート支持部と、この床用目地プレート支持部に後端部が係止具を介して前後方向に移動可能に支持され、先端部が前記床用目地プレートスライド支持凹部に支持され、かつ一端部が前記側壁と当接する端部床用目地プレートと、この端部床用目地プレートの他端部に、該端部床用目地プレートと並列するように配置された、地震により前記左右の躯体が異なる前後方向に揺れ動いた場合に、一端部側が端部床用目地プレート上に乗り上がる、底面に複数個のローラが設けられた可動側床用目地プレート、この可動側床用目地プレートの他端部側にヒンジ部材を介して接続された後端部が前記床用目地プレート支持部に係止具を介して支持され、先端部が前記床用目地プレートスライド支持凹部に支持された固定側床用目地プレートとからなる床用目地プレートと、前記端部床用目地プレートを常時側壁方向へ付勢する付勢装置とからなることを特徴とする床用目地装置。
【請求項２】
固定側床用目地プレートと可動側床用目地プレートとの間には、地震で可動側床用目地プレートが端部床用目地プレート上に乗り上がっても、固定側床用目地プレートの後端部全体が床用目地プレート支持部に支持された状態となる、ヒンジ部材を用いた接続部材を用いて構成した床用目地プレートを用いていることを特徴とする請求項１記載の床用目地装置。
【発明の詳細な説明】
【技術分野】
【０００１】
本発明は目地部を介して設けられた側壁を有する左右の躯体の床面間を並列させた複数個の床用目地プレートで覆う床用目地装置に関する。
【背景技術】
【０００２】
従来、地震で左右の躯体が異なる前後方向に揺れ動くと、端部の床用目地プレートの上部へ隣の床用目地プレートが乗り上がって、その揺れ動きを吸収することができる床用目地装置が考えられている。
【０００３】
しかしながら、このように構成された床用目地装置は、端部の床用目地プレートの上部へ乗り上がる床用目地プレートは、モルタルやコンクリートが充填された重量のある床用目地プレートが用いられているため、スムーズに端部の床用目地プレートの上部へ乗り上がらせることができないとともに、該端部の床用目地プレートの上部に乗り上がる床用目地プレートにヒンジ部材を介して取付けられている床用目地プレートを床用目地プレート支持部に支持している支持具に大きな力が加わり、損傷しやすいという欠点があった。
【先行技術文献】
【特許文献】
【０００４】
【特許文献１】特許第４９４４８３８号公報
【発明の概要】
【発明が解決しようとする課題】
【０００５】
本発明は以上のような従来の欠点に鑑み、地震で異なる前後方向に左右の躯体が揺れ動いた場合に、端部床用目地プレート上に可動床用目地プレートをスムーズに乗り上がらせることができるとともに、該可動床用目地プレートとヒンジ部材で接続する固定側床用目地プレートの係止具に加わる荷重を小さくして、その損傷を効率よく阻止して、長期間安全に使用できる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた側壁を有する左右の躯体の、一方の躯体の目地部側の床面に反目地部側が傾斜面に形成された床用目地プレートの先端部をスライド移動可能に支持する床用目地プレートスライド支持凹部と、この床用目地プレートスライド支持凹部と対向する前記他方の躯体の目地部側に、前記床用目地プレートの後端部を支持する床用目地プレート支持部と、この床用目地プレート支持部に後端部が係止具を介して前後方向に移動可能に支持され、先端部が前記床用目地プレートスライド支持凹部に支持され、かつ一端部が前記側壁と当接する端部床用目地プレートと、この端部床用目地プレートの他端部に、該端部床用目地プレートと並列するように配置された、地震により前記左右の躯体が異なる前後方向に揺れ動いた場合に、一端部側が端部床用目地プレート上に乗り上がる、底面に複数個のローラが設けられた可動側床用目地プレート、この可動側床用目地プレートの他端部側にヒンジ部材を介して接続された後端部が前記床用目地プレート支持部に係止具を介して支持され、先端部が前記床用目地プレートスライド支持凹部に支持された固定側床用目地プレートとからなる床用目地プレートと、前記端部床用目地プレートを常時側壁方向へ付勢する付勢装置とで床用目地装置を構成している。
【発明の効果】
【０００８】
以上の説明から明らかなように、本発明にあっては次に列挙する効果が得られる。
（１）請求項１により、可動床用目地プレートの底面に複数個のローラが設けられているので、地震で可動床用目地プレートが端部床用目地プレート上へスムーズに乗り上げさせることができる。
【０００９】
したがって、可動床用目地プレートをスムーズに移動でき、固定側床用目地プレートを床用目地プレート支持部に係止させる係止具に加わる荷重を小さくでき、係止具の損傷を効率よく阻止することができる。
（２）前記（１）によって、可動床用目地プレートの端部床用目地プレート上へ乗り上げをスムーズにできるので、端部床用目地プレート、固定側床用目地プレート、これらを床用目地プレート支持部に支持させる係止具に大きな力が加わるのを阻止でき、損傷を効率よく阻止することができる。
（３）前記（１）によって、可動床用目地プレートの底面に複数個のローラを設けるだけでよく、容易に実施することができる。
（４）請求項２も前記（１）〜（３）と同様な効果が得られるとともに、接続部材によって、可動床用目地プレートが端部床用目地プレート上へ乗り上げても、固定側床用目地プレートの後端部を床用目地プレート支持部に全体を支持させることができ、固定側床用目地プレートの浮き上がりを防止して、安全に使用することができる。
【図面の簡単な説明】
【００１０】
【図１】本発明を実施するための第１の形態の平面図。
【図２】図１の２−２線に沿う断面図。
【図３】図１の３−３線に沿う断面図。
【図４】本発明を実施するための第１の形態の端部床用目地プレートの説明図。
【図５】本発明を実施するための第１の形態の床用目地プレートの平面図。
【図６】図５の６−６線に沿う断面図。
【図７】本発明を実施するための第１の形態の中央部床用目地プレートの説明図。
【図８】本発明を実施するための第１の形態の目地部が広くなった動作説明図。
【図９】本発明を実施するための第１の形態の目地部が狭くなった動作説明図。
【図１０】他方の躯体の側壁で端部床用目地プレートを移動させた状態の平面図。
【図１１】図１０の１１−１１線に沿う断面図。
【図１２】一方の躯体の側壁で端部床用目地プレートを移動させた状態の平面図。
【図１３】図１２の１３−１３線に沿う断面図。
【図１４】本発明を実施するための第２の形態の平面図。
【図１５】図１４の１５−１５線に沿う断面図。
【図１６】図１４の１６−１６線に沿う断面図。
【図１７】端部床用目地プレートに可動側床用目地プレートが乗り上げた動作説明図。
【図１８】本発明を実施するための第３の形態の平面図。
【図１９】図１８の１９−１９線に沿う断面図。
【図２０】図１８の２０−２０線に沿う断面図。
【発明を実施するための形態】
【００１１】
以下、図面に示す本発明を実施するための形態により、本発明を詳細に説明する。
【００１２】
図１ないし図１３に示す本発明を実施するための第１の形態において、１は目地部２を介して設けられた両側壁３、３を有する左右の躯体４、４間の目地部２を覆う本発明の床用目地装置で、この床用目地装置１は前記左右の躯体４、４の一方の躯体４の目地部２側床面４ａに反目地部側が傾斜面５に形成された床用目地プレートの先端部をスライド移動可能に支持する床用目地プレートスライド支持凹部６と、この床用目地プレートスライド支持凹部６と対向する、前記他方の躯体４の目地部２側の床面４ａに前記床用目地プレートの後端部を支持できるように凹部７を形成して形成した床用目地プレート支持部８と、この床用目地プレート支持部８に後端部が係止具９を介して前後方向に移動できるように支持され、先端部が前記床用目地プレートスライド支持凹部６に支持され、かつ一端部が前記側壁３、３と当接する端部床用目地プレート１０と、この端部床用目地プレート１０を常時前記側壁３、３に当接するように付勢する付勢装置１１と、前記端部床用目地プレート１０の他端部に、該端部床用目地プレート１０と並列するように配置された、地震により前記左右の躯体４、４が異なる前後方向に揺れ動いた場合に、一端部側が端部床用目地プレート１０上に乗り上がる、底面に複数個のローラ１２が設けられた可動側床用目地プレート１３、この可動側床用目地プレート１３の他端部側にヒンジ部材１４を介して接続された後端部が前記床用目地プレート支持部８に係止具９、９を介して支持され、先端部が前記床用目地プレートスライド支持凹部６に支持された固定側床用目地プレート１５とからなる床用目地プレート１６と、前記端部床用目地プレート１０の下部位置の一方の目地部側躯体４に後端部が固定され、先端部が前記目地部２の中央部へ突出する上部固定目地プレート１７、この上部固定目地プレート１７の先端部より突出し、他方の躯体４へ常時当接するように付勢する付勢スプリング１８で付勢された上部可動目地プレート１９とからなる第１の端部目地装置２０と、この第１の端部目地装置２０の下部位置の前記他方の目地部側躯体４に後端部が固定され、先端部が前記目地部２の中央部へ突出する下部固定目地プレート２１、この下部固定目地プレート２１の先端部より突出し、一方の躯体４へ常時当接するように付勢スプリング２２で付勢された下部可動目地プレート２３とからなる第２の端部目地装置２４とで構成されている。
【００１３】
この第２の端部目地装置２４および前記第１の端部目地装置２０は特許第４９４４８３８号に開示された構造のものが使用されている。
【００１４】
なお、床用目地プレート１６の固定側床用目地プレート１５の反可動側床用目地プレート１３側には係止具９、９で前記床用目地プレート支持部８に係止された中央部床用目地プレート２５が配置される。
【００１５】
また、左右の躯体４、４の一方の端部にだけ側壁が形成されている場合には、該側壁側に端部床用目地プレート１０、可動側床用目地プレート１３と固定側床用目地プレート１５とからなる床用目地プレート１６が配置された状態に設置される。
【００１６】
前記端部床用目地プレート１０は浅皿状で、反側壁側が前記可動側床用目地プレート１３を上方へガイドする傾斜面２６に形成された金属材製の端部床用目地プレート本体２７と、この端部床用目地プレート本体２７の後部に設けられた底面が長孔状に開口２８し、床用目地プレート支持部８に固定された係合ピン２９と係合して前後方向に移動する長方形状の係合ピン係合ボックス３０と、前記端部床用目地プレート本体２７内に充填されたモルタルあるいはコンクリート３１と、このモルタルあるいはコンクリート３１の上面に、必要に応じて設置されるレンガやタイル等の床化粧板３２と、前記端部床用目地プレート本体２７の先端上部にヒンジ部材３３を介して取付けられたカバープレート３４とで構成されている。
【００１７】
前記床用目地プレート１６は一側面が前記端部床用目地プレート１０上へ乗り上がれるように傾斜面３５に形成され、かつ底面に複数個のローラ１２が設けられ、全体の厚さ寸法が前記端部床用目地プレート１０とほぼ同じ寸法となるように、浅皿状に金属材で形成された可動側床用目地プレート本体３６、この可動側床用目地プレート本体３６内に充填されたモルタルあるいはコンクリート３１、このモルタルあるいはコンクリート３１の上面に、必要に応じて設置されるレンガやタイル等の床化粧板３２、前記可動側床用目地プレート本体３６の先端上部にヒンジ部材３３を介して取付けられたカバープレート３４とからなる可動側床用目地プレート１３と、この可動側床用目地プレート１３の可動側床用目地プレート本体３６の他側面にヒンジ部材１４を介して取付けられた浅皿状の金属材で形成された固定側床用目地プレート本体３７、この固定側床用目地プレート本体３７の後部両端部に設けられた底面が開口する係止具９、９を構成する係合ピン係合ボックス３０Ａ、３０Ａ、前記固定側床用目地プレート本体３７内に充填されたモルタルあるいはコンクリート３１、このモルタルあるいはコンクリート３１の上面に、必要に応じて設置されるレンガやタイル等の床化粧板３２、前記固定側床用目地プレート本体３７の先端上部にヒンジ部材３３を介して取付けられたカバープレート３４とからなる固定側床用目地プレート１５とで構成されている。
【００１８】
前記中央部床用目地プレート２５は前記床用目地プレート１６の固定側床用目地プレート１５と同様な構成のものが使用されている。
【００１９】
上記構成の床用目地装置１は、通常時には図１および図２に示すように左右の躯体４、４間の目地部２は端部床用目地プレート１０、可動側床用目地プレート１３と固定側床用目地プレート１５とからなる床用目地プレート１６および中央部床用目地プレート２５によって、左右の躯体４、４の床面４ａ、４ａとほぼ同じ高さの床面状態で覆われた状態となっている。
【００２０】
地震で目地部２が広くなるように左右の躯体４、４が揺れ動いた場合、図８に示すように端部床用目地プレート１０、床用目地プレート１６の可動側床用目地プレート１３、固定側床用目地プレート１５および中央部床用目地プレート２５の先端部が床用目地プレートスライド支持凹部６をスライド移動して、その揺れ動きを吸収する。
【００２１】
地震で目地部２が狭くなるように左右の躯体４、４が揺れ動いた場合、図９に示すように端部床用目地プレート１０、床用目地プレート１６の可動側床用目地プレート１３、固定側床用目地プレート１５および中央部床用目地プレート２５の先端部が床用目地プレートスライド支持凹部６の傾斜面５に沿って上方へ押し上げられるが、カバープレート３４、３４、３４、３４の先端部が一方の躯体４の床面４ａと接した傾斜状態となって、安全に使用できる状態となって、その揺れ動きを吸収する。
【００２２】
地震で左右の躯体４、４が異なる前後方向に揺れ、端部床用目地プレート１０が付勢装置１１の付勢力に抗して、他方の躯体４の側壁３によって内側へ押し付けられると、該端部床用目地プレーと１０上へ床用目地プレート１６の可動側床用目地プレート１３が、図１０および図１１に示すように乗り上がり、その揺れ動きを吸収するとともに、端部床用目地プレート１０が移動して隙間が生じた部位には第１の端部目地装置２０が位置しているため、目地部に隙間が生じるのを阻止できる。
【００２３】
なお、端部床用目地プレート１０上への可動床用目地プレート１３の乗り上げは、端部床用目地プレート１０の傾斜面２６と可動床用目地プレート１３の傾斜面３５および可動床用目地プレート１３の底面の複数個のローラ１２で行なうため、スムーズで、小さな力で行なうことができる。
【００２４】
また、左右の躯体４、４が異なる前後方向に揺れ動き、端部床用目地プレート１０が付勢装置１１の付勢力に抗して、一方の躯体４の側壁３によって内側へ押し付けられると、端部床用目地プレート１０上へ床用目地プレート１６の可動側床用目地プレート１３が、図１２および図１３に示すように乗り上がり、その揺れ動きを吸収するとともに、端部床用目地プレート１０が移動して隙間が生じた部位には第２の端部目地装置２４が位置しているため、目地部に隙間が生じるのを阻止できる。
【００２５】
なお、この端部床用目地プレート１０の移動は、前述と同様にスムーズで小さな力で行なうことができる。
地震での左右の躯体４、４の揺れ動きが停止すると、自動的に元の状態へ戻る。    
【００２６】
[発明を実施するための異なる形態]
次に、図１４ないし図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２７】
図１４ないし図１７に示す本発明を実施するための第２の形態において、前記本発明を実施するための第１の形態と主に異なる点は、端部床用目地プレート１０上に可動側床用目地プレート１３が乗り上がる場合に、固定側床用目地プレート１５が床用目地プレート支持部８より浮き上がらないように、可動側床用目地プレート１３と固定側床用目地プレート１５を、接続部材３８を用いて接続した点で、このように構成した床用目地装置１Ａにしても、前記本発明を実施するための第１の形態と同様な作用効果が得られるとともに、可動側床用目地プレート１３が端部床用目地プレート１０に乗り上がる場合に、固定側床用目地プレート１５や可動側床用目地プレート１３を安定状態にできる。
【００２８】
なお、接続部材３８は四角柱状の接続部材本体３９と、この接続部材本体３９の一端部の下部位置に枢支部４０が位置するように、該接続部材本体３９と可動側床用目地プレート１３を接続する一方のヒンジ部材４１と、前記接続部材本体３９の他端部の上部位置に枢支部４２が位置するように、該接続部材本体３９と固定側床用目地プレート１５を接続する他方のヒンジ部材４３とで構成されている。
【００２９】
図１８ないし図２０に示す本発明を実施するための第３の形態において、前記本発明を実施するための第１の形態と主に異なる点は、他方の躯体４の目地部２側に端部床用目地プレート１０、床用目地プレート１６および中央部床用目地プレート２５の後端部を支持することができる床用目地プレート支持部８Ａとなるアングル状の支持金具４４を用いるとともに、床用目地プレートスライド支持凹部６のスライド移動をスムーズにできるステンレス材等を用いた下地金具４５を用いた点で、このように構成した床用目地装置１Ｂにしても、前記本発明を実施するための第１の形態と同様な作用効果が得られる。
【産業上の利用可能性】
【００３０】
本発明は目地部を介して設けられた側壁を有する左右の躯体の床面間を並列させた複数個の床用目地プレートで覆うの目地部を覆う床用目地装置を製造する産業で利用される。
【符号の説明】
【００３１】
１、１Ａ、１Ｂ：床用目地装置、
２：目地部、        ３：側壁、
４：躯体、          ５：傾斜面、  
６：床用目地プレートスライド支持凹部、
７：凹部、        
８、８Ａ：床用目地プレート支持部、
９：係止具、        １０：端部床用目地プレート、
１１：付勢装置      １２：ローラ、
１３：可動側床用目地プレート、  １４：ヒンジ部材、
１５：固定側床用目地プレート、１６：床用目地プレート、
１７：上部固定目地プレート、  １８：付勢スプリング、
１９：上部可動目地プレート、  ２０：第１の端部目地装置、
２１：下部固定目地プレート、  ２２：付勢スプリング、
２３：下部可動目地プレート、  ２４：第２の端部目地装置、
２５：中央部床用目地プレート、  ２６：傾斜面、
２７：端部床用目地プレート本体、
２８：長孔状の開口、    ２９：係合ピン、
３０、３０Ａ：係合ピン係合ボックス、
３１：モルタルあるいはコンクリート、
３２：床化粧板、      ３３：ヒンジ部材、
３４：カバープレート、    ３５：傾斜面、
３６：可動側床用目地プレート本体、
３７：固定側床用目地プレート本体、
３８：接続部材、      ３９：接続部材本体、
４０：枢支部、      ４１：一方のヒンジ部材、
４２：枢支部、      ４３：他方のヒンジ部材、
４４：支持金具、      ４５：下地金具。
【図１】
2014091991.tif 000003
【図２】
2014091991.tif 000004
【図３】
2014091991.tif 000005
【図４】
2014091991.tif 000006
【図５】
2014091991.tif 000007
【図６】
2014091991.tif 000008
【図７】
2014091991.tif 000009
【図８】
2014091991.tif 000010
【図９】
2014091991.tif 000011
【図１０】
2014091991.tif 000012
【図１１】
2014091991.tif 000013
【図１２】
2014091991.tif 000014
【図１３】
2014091991.tif 000015
【図１４】
2014091991.tif 000016
【図１５】
2014091991.tif 000017
【図１６】
2014091991.tif 000018
【図１７】
2014091991.tif 000019
【図１８】
2014091991.tif 000020
【図１９】
2014091991.tif 000021
【図２０】
2014091991.tif 000022